(57)【要約】【課題】携帯用電子機器において、ケースに対する装飾部品の着脱構造を簡単にしながら装飾性をアップする。【解決手段】携帯用電子機器であって、ケース５２の外表面側に、帯状の装飾部品２６を着脱可能に装着するための凹溝部５３を設け、この凹溝部５３に帯状の装飾部品２６を嵌着する構成にした。帯状の装飾部品２６は、その長手方向の両端に、ケース５２の側面に係合する係合爪２７を有する。ケース５２は、凹溝部５３に対応する領域の内表面が突出している。凹溝部５３は、ケース５２の短手方向（幅方向）に伸びるように形成されている。【選択図】図４
2007312213.tif 000002
【特許請求の範囲】
【請求項１】
ケースの外表面側に、帯状の装飾部品を着脱可能に装着するための凹溝部を設け、
この凹溝部に帯状の装飾部品を嵌着する構成にしたことを特徴とする携帯用電子機器。
【請求項２】
前記帯状の装飾部品は、その長手方向の両端に、ケースの側面に係合する係合部を有することを特徴とする請求項１に記載の携帯用電子機器。
【請求項３】
前記ケースは、前記凹溝部に対応する領域の内表面が突出していることを特徴とする請求項１または２に記載の携帯用電子機器。
【請求項４】
前記凹溝部は、前記ケースの短手方向に伸びるように形成されていることを特徴とする請求項１から３のいずれか一項に記載の携帯用電子機器。
【発明の詳細な説明】
【技術分野】
【０００１】
本発明は、携帯用電子機器、特に、携帯用電子機器の外装ケースに関する。
【背景技術】
【０００２】
携帯用電子機器には、表示装置や操作キーなどを含む全ての電子部品を１つの筐体（外装ケース）に収納したワンボックスタイプのもの、電子部品の全てを１つの筐体に収納した上で、表示部や操作部が露出する筐体の表面を覆う蓋を設けた蓋付きタイプのもの、表示装置と操作キーをそれぞれ別の筐体に収納し、表示装置を収納した第１の筐体と操作キーを収納した第２の筐体とを開閉ヒンジ機構で連結し、第１の筐体を第２の筐体に対して折り畳み可能にしたツーボックスタイプのものがある。
また、携帯用電子機器の１種である携帯電話機においては、これらのタイプの外に、前記第１の筐体と前記第２の筐体とを回転ヒンジ機構で連結し、第１の筐体を第２の筐体に対して水平面内で回転可能にしたものや、前記第１の筐体と前記第２の筐体とをスライド機構で連結し、第１の筐体を第２の筐体に対して水平面内でスライド可能にしたものなどもある。
【０００３】
これらのいずれのタイプにおいても、筐体（外装ケース）のデザインは、通常、使用者が変更することはできないが、折り畳み式の携帯電話機においては、折り畳んだ際に外側となる第１の筐体の背面側のケースのデザインを使用者が変更できるようにしたものも提案されている（特許文献１及び２参照）。
例えば、特許文献１には、第１の筐体（表示部本体３）の背面側のケース（アウターケース１２）の外表面に凹陥部１３（５１）を設け、該凹陥部１３（５１）に化粧パネル１４（５３）を組み付けるようにしたものが記載されている（段落００１９、段落００２２、段落００４６、段落００６２、図１、図３〜図１０、図１２〜図１４参照）。
また、特許文献２には、第１の筐体（蓋体２）の背面側のケース（下ケース２１）の外表面に化粧パネル装着部２１１を設け、該装着部２１１に化粧パネル２６を装着するようにしたものが記載されている（段落００１５、段落００１９、段落００２２、図５〜図９参照。）。
【特許文献１】特開２００２−１２５０２２号公報
【特許文献２】特開２００５−１６７７８８号公報
【発明の開示】
【発明が解決しようとする課題】
【０００４】
しかし、以上の特許文献１及び２は、何れも装飾部品（化粧パネル）が大型であるので、本来のケースへの取り付け構造が複雑であり、また、ケースが本来ケースと該ケースに取り付けられる化粧パネルとの二重構造となるので、ケース厚も厚くなるという不都合がある。
【０００５】
本発明の課題は、携帯用電子機器において、ケースに対する装飾部品の着脱構造を簡単にしながら装飾性をアップすることである。
【課題を解決するための手段】
【０００６】
以上の課題を解決するため、請求項１に記載の発明は、携帯用電子機器であって、ケースの外表面側に、帯状の装飾部品を着脱可能に装着するための凹溝部を設け、この凹溝部に帯状の装飾部品を嵌着する構成にしたことを特徴とする。
【０００７】
請求項２に記載の発明は、請求項１に記載の携帯用電子機器であって、前記帯状の装飾部品は、その長手方向の両端に、ケースの側面に係合する係合部を有することを特徴とする。
【０００８】
請求項３に記載の発明は、請求項１または２に記載の携帯用電子機器であって、前記ケースは、前記凹溝部に対応する領域の内表面が突出していることを特徴とする。
【０００９】
請求項４に記載の発明は、請求項１から３のいずれか一項に記載の携帯用電子機器であって、前記凹溝部は、前記ケースの短手方向に伸びるように形成されていることを特徴とする。
【発明の効果】
【００１０】
本発明によれば、ケースの外表面側に設けた凹溝部に帯状の装飾部品を嵌着することにより、装飾効果がアップする。また、装飾部品が帯状であるので、着脱機構も簡単な構成で良い。
【発明を実施するための最良の形態】
【００１１】
以下、図を参照して本発明を実施するための最良の形態を詳細に説明する。
図１及び図２は本発明を適用した携帯用電子機器の一実施形態として折り畳み式携帯電話機を開いた状態を示し、図３は同じく折り畳み式携帯電話機を閉じた状態を示したもので、第一の筐体１と第二の筐体２はヒンジ部３を介して互いに折り畳み自在に連結されている。
【００１２】
第一の筐体１には、各種キーによる操作部１１と裏面側の報知用スピーカ１２、電池蓋１３及びプロテクタ１４と一側面のスライド式イヤホンカバー１５、通信用コネクタカバー１６及び充電端子１７等が備えられている。
第一の筐体１は、操作部１１を備える表ケース４１と、報知用スピーカ１２、電池蓋１３、プロテクタ１４、スライド式イヤホンカバー１５、通信用コネクタカバー１６及び充電端子１７を備える裏ケース４２とを合体して構成されている。
【００１３】
第二の筐体２には、メイン表示部２１と、その裏面側のサブ表示部（サブ表示用の窓）２２、照明部（照明用の窓）２３、カメラ部（カメラ用の窓）２４、赤外線通信部（赤外線通信用の窓）２５及び帯状の装飾部品２６等が備えられている。
第二の筐体２は、メイン表示部２１を備える表ケース５１と、サブ表示部２２、照明部２３、カメラ部２４、赤外線通信部２５及び帯状の装飾部品２６を備える裏ケース５２とを合体して構成されている。
【００１４】
図４は折り畳み式携帯電話機を閉じた状態で帯状の装飾部品２６を取り外した状態を示すもので、図示のように、第二の筐体２の裏ケース５２には、サブ表示部２２と赤外線通信部２５との間において、そのケース短手方向（幅方向）に延びる凹溝部５３が形成されている。
【００１５】
図５はさらに裏ケース５２を取り外した状態を示すもので、図示のように、裏ケース５２に形成した凹溝部５３の両端部には、表ケース５１の両側部に形成した係合爪５４がそれぞれ位置している。なお、図中、６１は基板、６２はサブ表示器、６４はカメラモジュールである。
また、帯状の装飾部品２６は、図７にも拡大して示したように、両側部が内側への湾曲形状をなしており、その湾曲した両端部内側に係合爪２７が形成されている。すなわち、帯状の装飾部品２６は、長手方向の断面形状がコの字形でバネ性があり、その両端の内面に係合爪２７を有している。なお、帯状の装飾部品２６は同じ色調であるが、デザイン上のアクセントのために長手方向に離れた両側に溝２６ａが刻まれている。
【００１６】
図６は裏ケース５２の内面側を示すもので、図示のように、凹溝部５３は裏ケース５２の内表面に対応する領域が突出する突出部５５となっている。なお、図中、５６は照明収納部、５７は赤外線通信部用切欠である。
以上において、図８、図９及び図１０は図３の矢印Ａ−Ａ線、矢印Ｂ−Ｂ線及び矢印Ｃ−Ｃ線にそれぞれ沿った断面図を示している。
【００１７】
以上のとおり、折り畳み式携帯電話機において、第二の筐体２を構成する裏ケース５２の外表面側に、帯状の装飾部品２６を着脱可能に装着するための凹溝部５３を形成し、この凹溝部５３に帯状の装飾部品２６を嵌着する構成にしたことにより、装飾効果がアップしたものとなっている。
また、装飾部品２６が帯状であるので、着脱機構も簡単な構成で良い。また、装飾部品２６が小型であるので、交換用の装飾部品２６を複数携帯することも容易であり、必要に応じて何時でも装飾を変更することができる。
【００１８】
そして、帯状の装飾部品２６は、その長手方向の両端に、裏ケース５２の側面に位置する係止爪５４に係合する係合爪２７を有していて、着脱機構が簡単な構成となっている。
しかも、装飾部品２６は帯状であるので、バネ性があり、着脱も容易である。
【００１９】
さらに、裏ケース５１は、凹溝部５３に対応する領域の内表面が突出部５５であることにより、この突出部５５がリブの役目をすることから、機械的強度がアップしたものとなっている。
特に、内蔵モジュールにおいて、裏ケース５１と対向する側に高さが異なる電子部品が配置されている場合、例えば、図５、図８、図９及び図１０に示した実施形態のように、カメラモジュール６４や小型のサブ表示器６２などが配置されている場合、第二の筐体２内に空間ができるため、裏ケース５１の内面に何の装飾効果も無いリブを設ける必要があるが、凹溝部５３による装飾効果と突出部５５による強度アップを同時に達成できるものとなっている。
【００２０】
次に、図１１は帯状の装飾部品２６の変形例を示すもので、前述した１ピース構造に代えて、図示のように、長手方向に沿って中央にセンターパーツ２８を溝内に組み付けた２ピース構造の装飾部品２６としている。すなわち、センターパーツ２８は、帯状の装飾部品２６の長手方向に沿った両サイドと異なる色調とするために取り付けるものである。なお、センターパーツ２８の幅は任意に設定する。
そして、センターパーツ２８を溝内に組み付けた２ピース構造の装飾部品２６は、内側面にセンターパーツ２８と一体の複数（図示例では３本）の突起２９が露出している。
このように、センターパーツ２８を溝内に組み付けた２ピース構造の装飾部品２６としても良い。
【００２１】
なお、以上の実施形態においては、折り畳み式携帯電話機としたが、本発明はこれに限定されるものではなく、ノート型ＰＣ、パームトップＰＣ、ＰＤＡ、その他の折り畳み式の携帯用電子機器であっても良い。
また、本発明において、装飾部品２６は帯状であり、実装スペースが少なくて澄むので、折り畳み式の携帯用電子機器における表示側筐体の外表面や蓋付きの電子機器の蓋の外表面だけでなく、ワンボックスタイプの電子機器や、回転ヒンジ機構やスライド機構を備えた電子機器などの表示面側に設けることができ、他の携帯用電子機器にも適用できる。
【００２２】
また、実施形態において、裏ケース５２に形成された凹溝部５３に装着される帯状の装飾部品２６の係合爪２７は、表ケース５１に形成した係合爪５４に係合する構成であったが、裏ケース５２に係合する構成にしてもよい。
また、実施形態において、帯状の装飾部品２６の両端の内面に係合用の凸部、すなわち、係合爪２７を形成したが、これに代えて凹部を形成しても良い。
そして、装飾部品２６の嵌着構造については、実施形態のように、ケースの側面部において凹凸で係止係合する構造の他、ケースの側面部において凹凸でスライド係合する構造でも、図１１（ｂ）に示したように、突起２９が凹部に形成した溝に差し込まれる構造でも良い。
【００２３】
また、実施形態では、ケースの短手方向（幅方向）に伸びるように形成された凹溝部としたが、ケースの長手方向に延びる凹溝部でも良い。
さらに、装飾部品や凹溝部の形状等も任意であり、その他、具体的な細部構造等についても適宜に変更可能であることは勿論である。
【図面の簡単な説明】
【００２４】
【図１】本発明を適用した携帯用電子機器の一実施形態の構成を示すもので、折り畳み式携帯電話機を開いた状態での正面側斜視図である。
【図２】図１の開いた状態での折り畳み式携帯電話機の背面側斜視図である。
【図３】図１の折り畳み式携帯電話機を閉じた状態での正面側斜視図である。
【図４】図３の折り畳み式携帯電話機を閉じた状態で、装飾部品を取り外した状態を示す分解斜視図である。
【図５】図３の折り畳み式携帯電話機を閉じた状態で、装飾部品と表示ユニット側の裏ケースとを取り外した状態を示す分解斜視図である。
【図６】図５の表示ユニット側の裏ケースの内面側を示す斜視図である。
【図７】図４及び図５の装飾部品の斜視図（ａ，ｂ）である。
【図８】図３の矢印Ａ−Ａ線に沿った断面図である。
【図９】図３の矢印Ｂ−Ｂ線に沿った断面図である。
【図１０】図３の矢印Ｃ−Ｃ線に沿った断面図である。
【図１１】図４及び図５の装飾部品の変形例を示す斜視図（ａ，ｂ）である。
【符号の説明】
【００２５】
１  第一の筐体
２  第二の筐体
３  ヒンジ部
１１  操作部
２１  メイン表示部
２２  サブ表示部
２３  照明部
２４  カメラ部
２５  赤外線通信部
２６  装飾部品
２７  係合爪（係合部）
４１・４２・５１・５２  ケース
５３  凹溝部
５４  係合爪（係合部）
５５  突出部
【図１】
2007312213.tif 000003
【図２】
2007312213.tif 000004
【図３】
2007312213.tif 000005
【図４】
2007312213.tif 000006
【図５】
2007312213.tif 000007
【図６】
2007312213.tif 000008
【図７】
2007312213.tif 000009
【図８】
2007312213.tif 000010
【図９】
2007312213.tif 000011
【図１０】
2007312213.tif 000012
【図１１】
2007312213.tif 000013